(57)【特許請求の範囲】
【請求項１】
像保持体の一面に保持された現像剤を除去するように前記像保持体の一面に接触する清掃部材及び前記清掃部材により前記像保持体から除去された現像剤を搬送する搬送部材を有する清掃装置本体と、
前記清掃装置本体の長手方向端部を、該長手方向端部に対応する前記像保持体を支持する枠体の側面に固定する固定部材と、
を有し、
前記固定部材は、前記搬送部材を回転自在に支持する軸受け部を有する清掃装置。
【請求項２】
前記像保持体の他面に設けられ、前記清掃部材に対して裏当てとなる裏当て部材をさらに有し、前記固定部材は、前記清掃装置本体と前記裏当て部材とを一体としてそれぞれの位置を固定する請求項１記載の清掃装置。
【請求項３】
前記像保持体の他面に設けられ、前記清掃部材に対して裏当てとなる裏当て部材をさらに有し、該裏当て部材は前記枠体に支持される請求項１記載の清掃装置。
【請求項４】
前記固定部材は、前記搬送部材により搬送された現像剤を他の部位に送るように前記他の部位と接続する接続部を兼ねている請求項１乃至３いずれか記載の清掃装置。
【請求項５】
現像剤を保持する像保持体と、
この像保持体を支持する枠体と、
前記像保持体に保持された現像剤を前記像保持体から除去するように前記像保持体を清掃する清掃装置と、
を有し、
前記清掃装置は、
前記像保持体の一面に保持された現像剤を除去するように前記像保持体の一面に接触する清掃部材及び前記清掃部材により前記像保持体から除去された現像剤を搬送する搬送部材を有する清掃装置本体と、
前記清掃装置本体の長手方向端部を、該長手方向端部に対応する前記像保持体を支持する枠体の側面に固定する固定部材と、
を有し、
前記固定部材は、前記搬送部材を回転自在に支持する軸受け部を有する画像形成装置。
【請求項６】
記録媒体に転写された現像剤を記録媒体に定着させる定着装置をさらに有し、
前記清掃装置本体は、前記定着装置及び前記像保持体との間に設けられた空間に配置されている請求項５記載の画像形成装置。
【請求項７】
前記像保持体の他面に設けられ、前記清掃部材に対して裏当てとなる裏当て部材をさらに有し、前記固定部材は、前記清掃装置本体と前記裏当て部材とを一体としてそれぞれの位置を固定する請求項５又は６記載の画像形成装置。
【請求項８】
前記像保持体の他面に設けられ、前記清掃部材に対して裏当てとなる裏当て部材をさらに有し、該裏当て部材は前記枠体に支持される請求項５乃至７いずれか記載の画像形成装置。
【請求項９】
前記固定部材は、前記搬送部材により搬送された現像剤を他の部位に送るように前記他の部位と接続する接続部を兼ねている請求項５乃至８いずれか記載の画像形成装置。
【発明の詳細な説明】
【技術分野】
【０００１】
本発明は、清掃装置及び画像形成装置に関する。
【背景技術】
【０００２】
特許文献１は、並列配置された複数の感光体ドラムを有する画像形成ユニットと、複数の前記感光体ドラムと対面して配置され、前記各感光体上の現像剤像が転写され、当該転写された現像剤像を記録シートに転写する中間転写ベルトと、前記中間転写ベルトに接触して前記中間転写ベルトに付着した付着物を回収するクリーニング部材と、回収した前記付着物を収容する付着物収容器とを有し、前記中間転写ベルトに対し前記画像形成ユニットと同じ側に配置されたクリーニングユニットと、前記画像形成ユニットと前記クリーニングユニットとを保持し、装置本体から一体的に引き出し可能に構成された保持部材と、を備えた画像形成装置を開示する。中間転写ベルトの内側には、クリーニングユニットのクリーニングローラに対向するバックアップローラが配置されている。
【先行技術文献】
【特許文献】
【０００３】
【特許文献１】特開２００９−２１０９３７号公報
【発明の概要】
【発明が解決しようとする課題】
【０００４】
本発明の目的は、像保持体と当該像保持体に保持された現像剤を除去する清掃部材との位置決めを、当該清掃部材を固定させる部位が限られてしまう場合であっても、容易に行うことができる清掃装置及び画像形成装置を提供することである。
【課題を解決するための手段】
【０００５】
請求項１に係る本発明は、像保持体の一面に保持された現像剤を除去するように前記像保持体の一面に接触する清掃部材及び前記清掃部材により前記像保持体から除去された現像剤を搬送する搬送部材を有する清掃装置本体と、前記清掃装置本体の長手方向端部を、該長手方向端部に対応する前記像保持体を支持する枠体の側面に固定する固定部材と、
を有し、前記固定部材は、前記搬送部材を回転自在に支持する軸受け部を有する清掃装置である。
【０００６】
請求項２に係る本発明は、前記像保持体の他面に設けられ、前記清掃部材に対して裏当てとなる裏当て部材をさらに有し、前記固定部材は、前記清掃装置本体と前記裏当て部材とを一体としてそれぞれの位置を固定する請求項１記載の清掃装置である。
【０００７】
請求項３に係る本発明は、前記像保持体の他面に設けられ、前記清掃部材に対して裏当てとなる裏当て部材をさらに有し、該裏当て部材は前記枠体に支持される請求項１記載の清掃装置である。
【０００９】
請求項４に係る本発明は、前記固定部材は、前記搬送部材により搬送された現像剤を他の部位に送るように前記他の部位と接続する接続部を兼ねている請求項１乃至３いずれか記載の清掃装置である。
【００１０】
請求項５に係る本発明は、現像剤を保持する像保持体と、この像保持体を支持する枠体と、前記像保持体に保持された現像剤を前記像保持体から除去するように前記像保持体を清掃する清掃装置と、を有し、前記清掃装置は、前記像保持体の一面に保持された現像剤を除去するように前記像保持体の一面に接触する清掃部材及び前記清掃部材により前記像保持体から除去された現像剤を搬送する搬送部材を有する清掃装置本体と、前記清掃装置本体の長手方向端部を、該長手方向端部に対応する前記像保持体を支持する枠体の側面に固定する固定部材と、を有し、前記固定部材は、前記搬送部材を回転自在に支持する軸受け部を有する画像形成装置である。
【００１１】
請求項６に係る本発明は、記録媒体に転写された現像剤を記録媒体に定着させる定着装置をさらに有し、前記清掃装置本体は、前記定着装置及び前記像保持体との間に設けられた空間に配置されている請求項５記載の画像形成装置である。
【００１２】
請求項７に係る本発明は、前記像保持体の他面に設けられ、前記清掃部材に対して裏当てとなる裏当て部材をさらに有し、前記固定部材は、前記清掃装置本体と前記裏当て部材とを一体としてそれぞれの位置を固定する請求項５又は６記載の画像形成装置である。
【００１３】
請求項８に係る本発明は、前記像保持体の他面に設けられ、前記清掃部材に対して裏当てとなる裏当て部材をさらに有し、該裏当て部材は前記枠体に支持される請求項５乃至７いずれか記載の画像形成装置である。
【００１５】
請求項９に係る本発明は、前記固定部材は、前記搬送部材により搬送された現像剤を他の部位に送るように前記他の部位と接続する接続部を兼ねている請求項５乃至８いずれか記載の画像形成装置である。
【発明の効果】
【００１６】
本発明によれば、本構成を有しない場合と比較して、像保持体と当該像保持体に保持された現像剤を除去する清掃部材との位置決めを、当該清掃部材を固定させる部位が限られてしまう場合であっても容易に行うことができるとともに、本構成を有しない場合と比較して、さらに清掃装置本体の搬送部材の位置決め精度も向上させることができる清掃装置及び画像形成装置を提供することができる。
【図面の簡単な説明】
【００２７】
【図１】本発明の実施形態に係る画像形成装置を正面から示す断面図である。
【図２】図１に示す画像形成装置が有する像形成部を正面から示す断面図である。
【図３】図１に示す画像形成装置が有する中間転写体用の清掃装置を正面から示す断面図である。
【図４】図３に示す中間転写体用の清掃装置を固定する第１の固定部材を裏面側から示す斜視図である。
【図５】図３に示す中間転写体用の清掃装置を固定する第１の固定部材と中間転写装置の一部を正面側から示す斜視図である。
【図６】図３に示す中間転写体用の清掃装置を中間転写装置に第１の固定部材によって固定する部分を示す断面図である。
【図７】図１に示す中間転写装置を示す斜視図である。
【図８】図３に示す中間転写体用の清掃装置を中間転写装置に第２の固定部材によって固定する部分を示す断面図である。
【発明を実施するための形態】
【００２８】
次に、本発明を実施するための形態を図面を参照して説明する。
図１には、本発明の形実施形態に係る画像形成装置１０が示されている。図１に示されるように、画像形成装置１０は、画像処理部１６と、制御部１８とを有する。画像処理部１６は、例えばパーソナルコンピュータ（ＰＣ）、図示しない画像読取装置等から送られてくる画像データに対して、必要に応じて、シェーディング補正、位置ズレ補正、明度／色空間変換、ガンマ補正、枠消し、色／移動編集等の予め定められた画像処理を施す。制御部１８は、画像形成装置１０全体の動作を制御する。
【００２９】
また、画像形成装置１０は、４つの像形成部２２Ｙ、２２Ｍ、２２Ｃ、２２Ｋと、中間転写装置５０と、給紙装置１００と、定着装置２００と、中間転写体用の清掃装置３００とを有している。また、画像形成装置１０内には用紙の搬送に用いられる搬送路４００が形成され、画像形成装置１０の上部が、画像形成がなされた用紙が排出される排出部１２として用いられている。
【００３０】
像形成部２２Ｙ、２２Ｍ、２２Ｃ、２２Ｋは、それぞれが感光体ドラム２４Ｙ、２４Ｍ、２４Ｃ、３４Ｋを有し、それぞれがイエローの現像剤を用いてイエローの現像剤像を形成し、マゼンタの現像剤を用いてマゼンタの現像剤像を形成し、シアンの現像剤像を用いてシアンの現像剤像を形成し、黒の現像剤を用いて黒の現像剤像を形成する。像形成部２２Ｙ、２２Ｍ、２２Ｃ、２２Ｋの詳細は後述する。
【００３１】
中間転写装置５０は、中間転写体５２と、１次転写装置５４Ｙ、５４Ｍ、５４Ｃ、５４Ｋと、２次転写装置５８と有する。中間転写体５２は、保持した現像剤を保持して搬送する像保持体として用いられていて、この実施形態においては、ベルト形状を有し、無端状であり複数の支持ロール６２、６４に回転することができるように支持されている。
【００３２】
複数の支持ロール６２、６４のうちの少なくとも１つは、中間転写体５２に駆動を伝達する駆動ロールとして用いられていて、図示を省略する駆動伝達機構等を介して、例えばモータ等の図示を省略する駆動源からの駆動が伝達され、駆動が伝達されることにより回転して中間転写体５２を回転させる。この実施形態では、支持ロール６４が駆動伝達ロールとして用いられている。また、複数の支持ロール６２、６４のうちの少なくとも１つは、中間転写体５２にテンションを付与するテンションロールとして用いられていて、この実施形態では、支持ロール６２がテンションロールとして用いられている。
【００３３】
一次転写装置５４Ｙ、５４Ｍ、５４Ｃ、５４Ｋは、一次転写バイアスが印加される一次転写ロール５６Ｙ、５６Ｍ、５６Ｃ、５６Ｋ（図２参照）をそれぞれに有し、感光体ドラム２４Ｙ、２４Ｍ、２４Ｃ、２４Ｋの表面に形成された現像剤からなる像を、中間転写体５２に転写する。
【００３４】
二次転写装置５８は、二次転写ロール６０を有し、中間転写体５２が保持する現像剤を用紙に転写する転写装置として用いられている。
【００３５】
定着装置２００は、用紙を加熱する加熱ロール２０２と、加熱ロール２０２に用紙を加圧する加圧ロール２０４とを有する。
【００３６】
給紙装置１００は、記録媒体として用いられる用紙を積層した状態で収納する、例えば１つの用紙収納部１０２と、用紙収納部１０２に収納された用紙を送り出す送り出しロール１０４と、用紙が重なった状態で送り出されることを防止するために用いられるリタードロール１０６とを有する。
【００３７】
搬送路４００は、主搬送路４０２と、反転搬送路４０４とを有する。主搬送路４０２は、給紙装置１００から２次転写装置５８に向けて用紙を搬送し、２次転写装置５８から排出部１２へ排出するように用紙を搬送する搬送路である。主搬送路４０２に沿って、用紙搬送方向における上流側から順に、先述の給紙装置１００、レジストロール４１０、先述の２次転写装置５８、先述の定着装置２００、及び排出ロール４１２が設けられている。
【００３８】
レジストロール４１０は、２次転写装置５８に向けて搬送される用紙の先端部の二次転写装置５８側に向けての移動を一時的に停止させ、中間転写体５２の現像剤像が転写された部分が二次転写装置５８の位置に到達するタイミングに合致するように、用紙の先端部の二次転写装置５８に向けての移動を再開させる。
【００３９】
排出ロール４１２は、定着装置２００で現像剤像が定着された用紙を排出部１２に向けて搬送する。また、排出ロール４１２は、用紙を排出部１２へ排出する方向と、排出部１２側から反転搬送路４０４に用紙を搬送する方向との両方向に回転することができるようになっている。
【００４０】
反転搬送路４０４は、一方の面に画像が形成された用紙を反転させるために用いられる搬送路であり、排出ロール４１２からレジストロール４１０の上流側に用紙を搬送する。反転搬送路４０４に沿って、例えば２つの反転搬送ロール４１４、４１４が設けられている。また、排出ロール４１２と定着装置２００との間には、用紙を案内する案内部材４１６が設けられている。案内部材４１６は、定着装置２００から排出ロール４１２に向けて用紙を案内する位置と、排出ロール４１２から反転搬送路４０４へ向けて用紙を案内する位置との間で移動することができるようになっている。
【００４１】
一方の面に画像が形成された用紙の他方の面に画像を形成する場合は、画像が形成された用紙の後端部に排出ロール４１２が接触した状態で排出ロール４１２が逆方向に回転し、この回転により用紙を後端側から反転搬送路４０４へと案内し、用紙をレジストロール４１０へと搬送する。
【００４２】
中間転写体用の清掃装置３００は、中間転写体５２の表面から現像剤を除去する清掃装置として用いられていて、中間転写体５２の移動方向（回転方向）において、二次転写装置５８よりも下流側であって、同方向において最も上流側にある一次転写装置５４Ｙよりも、同方向において上流側の位置に配置されている。この清掃装置３００は、中間転写体５２の表面側（現像剤搬送面側）に配置された清掃装置本体３０２と、中間転写体５２の裏面側にあって清掃装置本体３０２に対向するように配置された裏当て部材３０８とを有する。清掃装置本体３０２は、定着装置２００の斜め下方にあって定着装置２００と中間転写体５２との間に形成された空間内に配置されている。定着装置２００と中間転写体５２との間はデッドスペースとなりやすいが、この部分に清掃装置本体３０２を配置することにより画像形成装置１０が小型化される。
なお、中間転写体用の清掃装置３００の詳細は後述する。
【００４３】
図２には、像形成部２２Ｙが示されている。像形成部２２Ｍ、像形成部２２Ｃ、像形成部２２Ｋは、用いる現像剤の色が異なるものの、以下に説明をする像形成部２２Ｙと構成が同一であるため説明を省略する。
【００４４】
図２に示すように、像形成部２２Ｙは、先述の感光体ドラム２４Ｙと、帯電装置３０Ｙと、潜像形成装置３２Ｙと、現像装置３４Ｙと、感光体ドラム用の清掃装置３８Ｙと有する。帯電装置３０Ｙは、例えば帯電ロールを有し、感光体ドラム２４Ｙの表面を均一に帯電する。潜像形成装置３２Ｙとしては、ＬＥＤアレイが用いられている。潜像形成装置３２Ｙは、帯電装置３０Ｙによって均一に帯電された感光体ドラム２４Ｙの表面に光を照射することによって、感光体ドラム２４Ｙの表面に潜像を形成する。
【００４５】
現像装置３４Ｙは、現像剤保持体として用いられる現像ロール３６Ｙを有し、現像ロール３６Ｙでイエローの現像剤を感光体ドラム２４Ｙに供給し、感光体ドラム２４Ｙの表面に形成された潜像をイエローの現像剤によって現像する。感光体ドラム用の清掃装置３８Ｙは、例えば板状の清掃部材３８２Ｙを有し、この清掃部材３８２Ｙで、イエローの現像剤像が中間転写体５２に転写された後に感光体ドラム２４Ｙの表面に残留したイエローの現像剤を掻き落とすようにして、感光体ドラム２４Ｙを清掃する。この清掃部材３８２Ｙで除去された現像剤は、搬送部材３８４Ｙにより図示しない回収部へと搬送され、この回収部に回収される。
【００４６】
図３には、中間転写体用の清掃装置３００が示されている。図３に示す矢印ａは、中間転写体５２が現像剤を搬送する方向である中間転写体５２の移動方向を示している。清掃装置本体３０２は、本体フレーム３０４と、この本体フレーム３０４に固定された清掃部材３１０とを有する。
【００４７】
本体フレーム３０４には、現像剤を回収する回収空間３３２が形成されている。この回収空間３３２は、長手方向に延び、該回収空間３３２内に搬送部材３３４が設けられている。また、本体フレーム３０４の下方には回収空間３３２に接続された回収口３０６が形成されている。搬送部材３３４は、螺旋形状の羽根部を有し、回収口３０６から回収された現像剤を回収空間３３２の一端に搬送する。
【００４８】
清掃部材３１０は、例えばゴムや樹脂等の可撓性を有する材料から形成され、一端部側が例えば金属性の支持部材３１８に例えば接着剤を介して固定されている。支持部材３１８は、例えばネジを介して本体フレーム３０４に固定されている。また、清掃部材３１０は、他端部が回収口３０６に臨み、接触位置Ｐにおいて中間転写体５２に付勢力をもって接触し、中間転写体５２を介して裏当て部材３０８に押し付けられている。
【００４９】
封止部材３２０は、例えば可撓性を有するフィルム状の部材が用いられ、中間転写体５２の移動方向において清掃部材３１０よりも上流側にあって、一端が本体フレーム３０４に固定され、他端が回収口３０６に臨んでいる。この封止部材３２０の他端は、清掃部材３１０の他端に対向し、清掃部材３１０によって中間転写体５２の表面から除去された現像剤が中間転写体用の清掃装置３００の外に漏れ出さないように、回収部口３０６と中間転写体５２との間に生じる隙間を封止している。
【００５０】
裏当て部材３０８は、例えば中間転写体５２の移動に伴って回転するロールとして構成されている。この裏当て部材３０８の中間転写体５２との接点が清掃部材３１０の接触位置Ｐに対向する。即ち、裏当て部材３０８と清掃部材３１０との位置関係により清掃部材３１０の中間転写体５２への押圧力が定まる。この清掃部材３１０の中間転写体５２への押圧力が大きいと、中間転写体５２への清掃能力は増大するが、中間転写体５２への抵抗を増大させることになる。一方、この清掃部材３１０の中間転写体５２への押圧力が小さいと、中間転写体５２への抵抗を少なくさせることができるが、中間転写体５２への清掃能力が小さくなり、中間転写体５２の現像剤が十分除去されないおそれがある。中間転写体５２に対する清掃部材３１０の押圧力が適正となるように当て部材３０２と清掃部材３１０との位置関係が設定されている。
【００５１】
次に清掃装置３００の固定構造について説明する。
図４乃至図６において、清掃装置３００は、第１の固定部材５００を介して中間転写装置５０の一方の枠体５６に固定されている。枠体５６は、中間転写体５２の両側に設けられ、先述した支持ロール６２、６４、一次転写装置５４Ｙ、５４Ｍ、５４Ｃ、５４Ｋ等を支持している。この枠体５６には、固定用孔５８が形成されている。この固定用孔５８は、下方に開口する半円状に形成された上被固定部５８２と、上方に開口する半円状に形成された下被固定部５８４と、これら上被固定部５８２と下被固定部５８４とを接続するよう両側に形成された側面被固定部５８６、５８６とを有する。さらに上被固定部５８２の中央には下方に開口する凹部５８８が形成されている。
【００５２】
第１の固定部材５００は、枠体５６の固定用孔５８よりもやや広く板状に形成された基部５０２を有する。この基部５０２の裏面側には、２つの軸受け部５０４、５０６が円筒状に形成されている。上方の軸受け部５０４は基部５０２の表面側まで貫通している。下方の軸受け部５０６は、該軸受け部５０６の奥端で閉鎖されている。また、基部５０２の裏面両側部には、立上り部５０８、５０８が基部５０２から立ち上がるように形成されている。この立上り部５０８、５０８には、さらに、引っ掛け部５１０、５１０が外側に突出するように形成されている。さらに上方の軸受け部５０４の外周上端には、凸部５１２が上方に突出するように形成されている。
【００５３】
上方の軸受け部５０４は、該軸受け部５０４の外周上部が枠体５６の固定用孔５８の上被固定部５８２に合わせられる。また、凸部５１２が凹部５８８に嵌め合わせられる。上方の軸受け部５０４の先端外周は、本体フレーム３０４に形成された嵌め合い用孔３１２に嵌められる。図６に示すように、この嵌め合い用孔３１２には、搬送部材３３４の一端が挿入され、さらに第１の固定部材５００の軸受け部５０４を介して第１の固定部材５００から外側へ突出している。搬送部材３３４は、第１の固定部材５００の軸受け部５０４を介して第１の固定部材５００に回転自在に支持されている。搬送部材３３４の枠体５６から突出した一端は、図示しない歯車等の伝達手段を介してモータ等の駆動手段に接続されている。
【００５４】
図６に示すように、下方の軸受け部５０６は、該軸受け部５０６の外周下部が枠体５６の固定用孔５８の下被固定部５８４に合わせられる。この軸受け部５０６に裏当て部材３０８の一端が嵌め込まれ、裏当て部材３０８は、軸受け部５０６を介して第１の固定部材５００に回転自在に支持されている。
【００５５】
第１の固定部材５００の立上り部５０８、５０８は、固定用孔５８の側面被固定部５８６、５８６に合わせられる。また、この引っ掛け部５１０、５１０は、弾性を有し、第１の固定部材５００を固定用孔５８に挿入すると、該引っ掛け部５１０、５１０が弾性変形して枠体５６の裏面側に挿入され、挿入後には元の形状に戻る。これにより第１の固定部材５００の引っ掛け部５１０、５１０と基部５０２の周縁とにより枠体５６を挟むようになっている。
【００５６】
上述したように、第１の固定部材５００は、上方の軸受け部５０４が上被固定部５８２に、凸部５１２が凹部５８８に、下方の軸受け部５０６が下被固定部に、立上り部５０８、５０８が側面被固定部５８６、５８６にそれぞれ合わせられ、枠体５６と平行な面での位置決めがなされる。また、第１の固定部材５００は、引っ掛け部５１０、５１０と基部５０２の周縁とにより枠体５６を挟むことにより枠体５６と該枠体５６の垂直な方向での位置決めがなされる。
【００５７】
また、清掃装置本体３０２は、該清掃装置本体３０２の嵌め合い用孔３１２に第１の固定部材５００の軸受け部５０４が嵌め込まれることにより第１の固定部材５００に位置決めされている。一方、裏当て部材３０８は、第１の固定部材５００の軸受け部５０６に嵌め込まれることにより第１の固定部材５００に位置決めされている。したがって、清掃部材本体３０２と裏当て部材３０８とが第１の固定部材５００を介して位置決めされているので、清掃部材３０２に固定されている清掃部材３１０と裏当て部材３０８と間の位置関係も第１の固定部材５００を介して定まるようになっている。
【００５８】
なお、中間転写体５２の両側は、清掃部材本体３０２に設けられた密閉部材３１４により密閉され、回収した現像剤が清掃装置本体３０２の両側から漏れないようにしてある。
【００５９】
図７は、中間転写装置５０の全体を示している。中間転写装置５０は、両側面に配置された枠体５６，５６に中間転写体５２が支持されている。前述した清掃装置本体３０２は、中間転写体５２の上部に配置されており、枠体５６，５６の上部にねじ７０，７０を介して固定されている。また、清掃装置本体３０２は、清掃装置本体３０２の長手方向端部に対応する側面で枠体５６，５６に対して第１の固定部材５００及び第２の固定部材６００を介して固定されている。
【００６０】
図８は、第２の固定部材６００側の構造が示されている。第２の固定部材６００は、枠体５６側に突出した挿入部６０２と、下方に延びる接続部６０４とを有する。挿入部６０２は、枠体５６に形成された挿入用孔７２に挿入されている。また、この挿入部６０２には、清掃装置本体３０２の長手方向端部に形成された被挿入部３３６が挿入されている。さらに搬送部材３３４の端部は、第２の固定部材６００に形成された軸受け部６０６に回転自在に支持されている。したがって、清掃装置本体３０２及び搬送部材３３４は、第２の固定部材６００を介して枠体５６の側面部分で位置決めされている。
【００６１】
また、第２の固定部材６００は、枠体５６側に突出して引っ掛け部６１０が形成されている。この引っ掛け部６１０は、第１の固定部材５００の引っ掛け部５１０と同様に、第２の固定部材６００を枠体５６に向けて挿入することにより弾性変形して第２の固定部材６００が枠体５６に固定されるようになっている。
【００６２】
接続部６０４は、黒用の像形成部２２Ｋの清掃装置３８Ｋから上方へ延びるように形成された被接続部７４に密閉部材７６を介して接続されている。したがって、清掃装置本体３０２の回収空間３３２は、第２の固定部材６００の接続部６０４を介して、黒用の像形成部２２Ｋの清掃装置３８Ｋに接続されているので、中間転写体用の清掃装置３００で回収された現像剤は、接続部６０４を介して黒用の感光体を清掃する清掃装置３８Ｋに送られる。この清掃装置３８Ｋに送られた現像剤は、現像剤供給部と一体に形成された現像剤回収部へ送られる。
【００６３】
裏当て部材３０８の端部は、枠体５６に設けられた軸受け部７８に回転自在に支持されている。前述した第１の固定部材５００は、清掃装置本体３０２と裏当て部材３０８とを固定するようにしたが、第２の固定部材６００は、清掃装置本体３０２を固定し、裏当て部材３０８は、中間転写装置５０の枠体５６に直接位置決めされている。
【００６４】
なお、図８において、図６に示したものと同じ部分については同じ番号を付して説明を省略する。
【００６５】
清掃部材本体３０２は、上方においては、スペースを確保することができるので、図７に示すように、枠体５６，５６の上部でねじ７０，７０を介して固定することができる。一方、枠体５６，５６の側面の外側には例えばフレーム等があってねじ止めするようなスペースがない。そのため、清掃部材本体３０２の長手方向端部側では、第１の固定部材５００、第２の固定部材６００を介して固定されている。また側面よりねじ止めすると、ねじの締め付け力により、清掃部材本体３０２がねじれて、清掃部材３１０が均一に中間転写体５２に当たらなくなるおそれがある。
【００６６】
なお、上記実施形態においては、清掃部材３１０としてブレード状のものを用いたが、本発明はこれに限定するものではなく、例えばブラシ状の清掃部材を用いてもよい。
【００６７】
また、上記実施形態においては、裏当て部材３０８として中間転写体と共に回転するロール状のものを用いたが、本発明はこれに限定するものではなく、例えば板状のものを用い、中間転写体の移動とは関係なく、固定されるものを用いることもできる。
【００６８】
また、清掃装置は、中間転写体用のものだけではなく、感光体等の他の像保持体にも適用することができる。
【産業上の利用可能性】
【００６９】
以上で説明をしたように、本発明は、複写機、ファクシミリ装置、プリンター等の画像形成装置と、例えばこれらの画像形成装置に用いられる清掃装置とに適用することができる。
【符号の説明】
【００７０】
１０    画像形成装置
２２Ｙ，２２Ｍ，２２Ｃ，２２Ｋ  像形成部
２４Ｙ，２４Ｍ，２４Ｃ，２４Ｋ  感光体ドラム
５０    中間転写装置
５２    中間転写体
５６    枠体
５８    固定用孔
３８Ｙ，３８Ｍ，３８Ｃ，３８Ｋ  感光体ドラム用の清掃装置
２００  定着装置
３００  中間転写体用の清掃装置
３０２  清掃装置本体
３０８  裏当て部材
３１０  清掃部材
５００  第１の固定部材
５０２  基部
５０４，５０６  軸受け部
６００  第２の固定部材
【図１】
0005440798.tif 000002
【図２】
0005440798.tif 000003
【図３】
0005440798.tif 000004
【図４】
0005440798.tif 000005
【図５】
0005440798.tif 000006
【図６】
0005440798.tif 000007
【図７】
0005440798.tif 000008
【図８】
0005440798.tif 000009